(57)【要約】【課題】正確な腹部のサイズに基づいた体組成に関する指標を得ることができる腹部インピーダンス式体組成計を提供する。【解決手段】腹部インピーダンス測定手段により腹部のインピーダンスを測定し、腹部サイズ推定手段により腹部のサイズを推定し、体組成推定手段によりこれら腹部のインピーダンス及び腹部のサイズに基づいて体組成に関する指標を推定する。【選択図】図３
2006334325.tif 000002
【特許請求の範囲】
【請求項１】
腹部のインピーダンスを測定する腹部インピーダンス測定手段と、
腹部のサイズを推定する腹部サイズ推定手段と、
前記腹部インピーダンス測定手段により測定した腹部のインピーダンスと前記腹部サイズ推定手段により推定した腹部のサイズとに基づいて体組成に関する指標を推定する体組成推定手段と、
を備える腹部インピーダンス式体組成計。
【請求項２】
前記腹部サイズ推定手段は、体重を取得する体重取得手段と、身長を取得する身長取得手段と、前記体重取得手段により取得した体重と前記身長取得手段により取得した身長とに基づいてＢＭＩを演算するＢＭＩ演算手段と、前記ＢＭＩ演算手段により演算したＢＭＩに基づいて腹部のサイズを演算する腹部サイズ演算手段とから成ることを特徴とする請求項１記載の腹部インピーダンス式体組成計。
【請求項３】
前記腹部サイズ推定手段は、体重を取得する体重取得手段と、身長を取得する身長取得手段と、前記体重取得手段により取得した体重及び前記身長取得手段により取得した身長に基づいてＢＭＩを演算するＢＭＩ演算手段と、前記ＢＭＩ演算手段により演算したＢＭＩと前記体重取得手段により取得した体重及び前記身長取得手段により取得した身長のうちの少なくとも１つとに基づいて腹部のサイズを演算する腹部サイズ演算手段とから成ることを特徴とする請求項１記載の腹部インピーダンス式体組成計。
【請求項４】
前記腹部サイズ推定手段は、体重を取得する体重取得手段と、身長を取得する身長取得手段と、前記体重取得手段により取得した体重と前記身長取得手段により取得した身長とに基づいてＢＭＩを演算するＢＭＩ演算手段と、全身脂肪に関する指標を取得する全身脂肪指標取得手段、全身除脂肪に関する指標を取得する全身除脂肪指標取得手段、年齢を取得する年齢取得手段及び性別を取得する性別取得手段のうちの少なくとも１つと、前記ＢＭＩ演算手段により演算したＢＭＩと前記全身脂肪指標取得手段により取得した全身脂肪に関する指標、前記全身除脂肪指標取得手段により取得した全身除脂肪に関する指標、前記年齢取得手段により取得した年齢及び前記性別取得手段により取得した性別のうちの少なくとも１つとに基づいて腹部のサイズを演算する腹部サイズ演算手段とから成ることを特徴とする請求項１記載の腹部インピーダンス式体組成計。
【請求項５】
前記腹部サイズ推定手段は、体重を取得する体重取得手段と、身長を取得する身長取得手段と、前記体重取得手段により取得した体重と前記身長取得手段により取得した身長とに基づいてＢＭＩを演算するＢＭＩ演算手段と、全身脂肪に関する指標を取得する全身脂肪指標取得手段、全身除脂肪に関する指標を取得する全身除脂肪指標取得手段、年齢を取得する年齢取得手段及び性別を取得する性別取得手段のうちの少なくとも１つと、前記ＢＭＩ演算手段により演算したＢＭＩと前記体重取得手段により取得した体重及び前記身長取得手段により取得した身長のうちの少なくとも１つと前記全身脂肪指標取得手段により取得した全身脂肪に関する指標、前記全身除脂肪指標取得手段により取得した全身除脂肪に関する指標、前記年齢取得手段により取得した年齢及び前記性別取得手段により取得した性別のうちの少なくとも１つとに基づいて腹部のサイズを演算する腹部サイズ演算手段とから成ることを特徴とする請求項１記載の腹部インピーダンス式体組成計。
【請求項６】
前記腹部サイズ推定手段は、体重を取得する体重取得手段と、前記体重取得手段により取得した体重に基づいて腹部のサイズを演算する腹部サイズ演算手段とから成ることを特徴とする請求項１記載の腹部インピーダンス式体組成計。
【請求項７】
前記腹部サイズ推定手段は、体重を取得する体重取得手段と、全身脂肪に関する指標を取得する全身脂肪指標取得手段、全身除脂肪に関する指標を取得する全身除脂肪指標取得手段、年齢を取得する年齢取得手段、性別を取得する性別取得手段及び身長を取得する身長取得手段のうちの少なくとも１つと、前記体重取得手段により取得した体重と前記全身脂肪指標取得手段により取得した全身脂肪に関する指標、前記全身除脂肪指標取得手段により取得した全身除脂肪に関する指標、前記年齢取得手段により取得した年齢、前記性別取得手段により取得した性別及び前記身長取得手段により取得した身長のうちの少なくとも１つとに基づいて腹部のサイズを演算する腹部サイズ演算手段とから成ることを特徴とする請求項１記載の腹部インピーダンス式体組成計。
【請求項８】
前記腹部のサイズは、ウエスト、腹部横幅又は腹部縦幅であることを特徴とする請求項１乃至５のうちのいずれか１項に記載の腹部インピーダンス式体組成計。
【発明の詳細な説明】
【技術分野】
【０００１】
本発明は、身体の腹部のインピーダンス及びサイズを取得し、体組成に関する指標を推定する腹部インピーダンス式体組成計に関する。
【背景技術】
【０００２】
近年、健康や美容に対する欲求の増大から、高血圧、高脂血症などの生活習慣病と深い関わりのある内臓脂肪に関する指標（例えば、内臓脂肪量、内臓脂肪面積、内臓脂肪容積など）やプロポーションのくずれの原因となる腹部の皮下脂肪に関する指標（例えば、皮下脂肪量、皮下脂肪面積、皮下脂肪厚など）について推定する脂肪計の研究・開発が進み、特許文献１、２に示されるような脂肪計（体脂肪測定装置、内臓脂肪算出装置）が開示されるようになってきた。
【０００３】
これら特許文献１、２に示される脂肪計（体脂肪測定装置、内臓脂肪算出装置）は、身体の腹部に電極を装着することによって腹部のインピーダンスを測定し、腹部のサイズ（ウエスト（腹部外周長、腹部周囲径））を取得（入力又は測定）し、腹部のインピーダンスと腹部のサイズとに基づいて、内臓脂肪や腹部皮下脂肪に関する指標を推定するものである。
【０００４】
【特許文献１】特開２００２−３６９８０６号公報
【特許文献２】特開２００５−１０３１９８号公報
【発明の開示】
【発明が解決しようとする課題】
【０００５】
しかしながら、特許文献１、２に示されるような脂肪計は、内臓脂肪や腹部皮下脂肪に関する指標を推定するにあたって、腹部のサイズを取得（入力又は測定）することを必要不可欠とする。
【０００６】
ここで、腹部のサイズを入力する形態の脂肪計の場合には、一般的に被測定者が正確な自己の腹部のサイズを知っていることが少ないために、正確な腹部のサイズが入力される確率が低い。また、腹部のサイズを測定する形態の脂肪計の場合には、腹部が柔軟であることから、腹部のサイズを測定する部位（ベルト）の接触具合（締め加減）がばらつくために、正確な腹部のサイズが測定される確率が低い。
【０００７】
したがって、上記の脂肪計の場合には、内臓脂肪や腹部皮下脂肪に関する指標の推定精度が劣るという問題があった。
【０００８】
そこで、本発明は、上記のような従来の問題点を解決することを目的とするもので、正確な腹部のサイズに基づいた体組成に関する指標を得ることができる腹部インピーダンス式体組成計を提供することを課題とする。
【課題を解決するための手段】
【０００９】
本発明の腹部インピーダンス式体組成計は、腹部のインピーダンスを測定する腹部インピーダンス測定手段と、腹部のサイズを推定する腹部サイズ推定手段と、前記腹部インピーダンス測定手段により測定した腹部のインピーダンスと前記腹部サイズ推定手段により推定した腹部のサイズとに基づいて体組成に関する指標を推定する体組成推定手段とを備える。
【００１０】
また、前記腹部サイズ推定手段は、体重を取得する体重取得手段と、身長を取得する身長取得手段と、前記体重取得手段により取得した体重と前記身長取得手段により取得した身長とに基づいてＢＭＩを演算するＢＭＩ演算手段と、前記ＢＭＩ演算手段により演算したＢＭＩに基づいて腹部のサイズを演算する腹部サイズ演算手段とから成ることを特徴とする。
【００１１】
また、前記腹部サイズ推定手段は、体重を取得する体重取得手段と、身長を取得する身長取得手段と、前記体重取得手段により取得した体重及び前記身長取得手段により取得した身長に基づいてＢＭＩを演算するＢＭＩ演算手段と、前記ＢＭＩ演算手段により演算したＢＭＩと前記体重取得手段により取得した体重及び前記身長取得手段により取得した身長のうちの少なくとも１つとに基づいて腹部のサイズを演算する腹部サイズ演算手段とから成ることを特徴とする。
【００１２】
また、前記腹部サイズ推定手段は、体重を取得する体重取得手段と、身長を取得する身長取得手段と、前記体重取得手段により取得した体重と前記身長取得手段により取得した身長とに基づいてＢＭＩを演算するＢＭＩ演算手段と、全身脂肪に関する指標を取得する全身脂肪指標取得手段、全身除脂肪に関する指標を取得する全身除脂肪指標取得手段、年齢を取得する年齢取得手段及び性別を取得する性別取得手段のうちの少なくとも１つと、前記ＢＭＩ演算手段により演算したＢＭＩと前記全身脂肪指標取得手段により取得した全身脂肪に関する指標、前記全身除脂肪指標取得手段により取得した全身除脂肪に関する指標、前記年齢取得手段により取得した年齢及び前記性別取得手段により取得した性別のうちの少なくとも１つとに基づいて腹部のサイズを演算する腹部サイズ演算手段とから成ることを特徴とする。
【００１３】
また、前記腹部サイズ推定手段は、体重を取得する体重取得手段と、身長を取得する身長取得手段と、前記体重取得手段により取得した体重と前記身長取得手段により取得した身長とに基づいてＢＭＩを演算するＢＭＩ演算手段と、全身脂肪に関する指標を取得する全身脂肪指標取得手段、全身除脂肪に関する指標を取得する全身除脂肪指標取得手段、年齢を取得する年齢取得手段及び性別を取得する性別取得手段のうちの少なくとも１つと、前記ＢＭＩ演算手段により演算したＢＭＩと前記体重取得手段により取得した体重及び前記身長取得手段により取得した身長のうちの少なくとも１つと前記全身脂肪指標取得手段により取得した全身脂肪に関する指標、前記全身除脂肪指標取得手段により取得した全身除脂肪に関する指標、前記年齢取得手段により取得した年齢及び前記性別取得手段により取得した性別のうちの少なくとも１つとに基づいて腹部のサイズを演算する腹部サイズ演算手段とから成ることを特徴とする。
【００１４】
また、前記腹部サイズ推定手段は、体重を取得する体重取得手段と、前記体重取得手段により取得した体重に基づいて腹部のサイズを演算する腹部サイズ演算手段とから成ることを特徴とする。
【００１５】
また、前記腹部サイズ推定手段は、体重を取得する体重取得手段と、全身脂肪に関する指標を取得する全身脂肪指標取得手段、全身除脂肪に関する指標を取得する全身除脂肪指標取得手段、年齢を取得する年齢取得手段、性別を取得する性別取得手段及び身長を取得する身長取得手段のうちの少なくとも１つと、前記体重取得手段により取得した体重と前記全身脂肪指標取得手段により取得した全身脂肪に関する指標、前記全身除脂肪指標取得手段により取得した全身除脂肪に関する指標、前記年齢取得手段により取得した年齢、前記性別取得手段により取得した性別及び前記身長取得手段により取得した身長のうちの少なくとも１つとに基づいて腹部のサイズを演算する腹部サイズ演算手段とから成ることを特徴とする。
【００１６】
また、前記腹部のサイズは、ウエスト、腹部横幅又は腹部縦幅であることを特徴とする。
【発明の効果】
【００１７】
本発明の腹部インピーダンス式体組成計は、腹部インピーダンス測定手段により腹部のインピーダンスを測定し、腹部サイズ推定手段により腹部のサイズを推定し、体組成推定手段によりこれら腹部のインピーダンス及び腹部のサイズに基づいて体組成に関する指標を推定する。これによると、腹部サイズ推定手段による推定が直接的な腹部のサイズの取得（入力又は測定）でないため、正確な腹部のサイズに基づいた体組成に関する指標を得ることができる。
【００１８】
また、腹部サイズ推定手段では、体重取得手段により体重を取得し、身長取得手段により身長を取得し、ＢＭＩ演算手段によりこれら体重及び身長に基づいてＢＭＩを演算し、腹部サイズ演算手段によりこのＢＭＩに基づいて腹部のサイズを演算する。これによると、ＢＭＩが腹部のサイズと高い相関特性を示すパラメータであるため、特に正確な腹部のサイズに基づいた体組成に関する指標を得ることができる。
【００１９】
また、腹部サイズ推定手段では、体重取得手段により体重を取得し、身長取得手段により身長を取得し、ＢＭＩ演算手段によりこれら体重及び身長に基づいてＢＭＩを演算し、腹部サイズ演算手段によりこれらＢＭＩと体重及び身長のうちの少なくとも１つとに基づいて腹部のサイズを演算する。これによると、体重又は身長が、ＢＭＩと組み合わせることにより腹部のサイズとの相関特性を向上させるパラメータであるため、より特に正確な腹部のサイズに基づいた体組成に関する指標を得ることができる。
【００２０】
また、腹部サイズ推定手段では、体重取得手段により体重を取得し、身長取得手段により身長を取得し、ＢＭＩ演算手段によりこれら体重及び身長に基づいてＢＭＩを演算し、全身脂肪指標取得手段による全身脂肪に関する指標の取得、全身除脂肪指標取得手段による全身除脂肪に関する指標の取得、年齢取得手段による年齢の取得、性別取得手段による性別の取得のうちの少なくとも１つ行い、腹部サイズ演算手段によりこれらＢＭＩと全身脂肪に関する指標、全身除脂肪に関する指標、年齢及び性別のうちの少なくとも１つとに基づいて腹部のサイズを演算する。これによると、全身脂肪に関する指標、全身除脂肪に関する指標、年齢又は性別が、ＢＭＩと組み合わせることにより腹部のサイズとの相関特性を向上させるパラメータであるため、より特に正確な腹部のサイズに基づいた体組成に関する指標を得ることができる。
【００２１】
また、腹部サイズ推定手段では、体重取得手段により体重を取得し、身長取得手段により身長を取得し、ＢＭＩ演算手段によりこれら体重及び身長に基づいてＢＭＩを演算し、全身脂肪指標取得手段による全身脂肪に関する指標の取得、全身除脂肪指標取得手段による全身除脂肪に関する指標の取得、年齢取得手段による年齢の取得、性別取得手段による性別の取得のうちの少なくとも１つ行い、腹部サイズ演算手段によりこれらＢＭＩと体重及び身長のうちの少なくとも１つと全身脂肪に関する指標、全身除脂肪に関する指標、年齢、性別、体重及び身長のうちの少なくとも１つとに基づいて腹部のサイズを演算する。これによると、体重又は身長、及び全身脂肪に関する指標、全身除脂肪に関する指標、年齢又は性別が、ＢＭＩと組み合わせることにより腹部のサイズとの相関特性を向上させるパラメータであるため、より特に正確な腹部のサイズに基づいた体組成に関する指標を得ることができる。
【００２２】
また、腹部サイズ推定手段では、体重取得手段により体重を取得し、腹部サイズ演算手段によりこの体重に基づいて腹部のサイズを演算する。これによると、体重が、腹部のサイズと高い相関特性を示すパラメータであるため、特に正確な腹部のサイズに基づいた体組成に関する指標を得ることができる。
【００２３】
また、腹部サイズ推定手段では、体重取得手段により体重を取得し、全身脂肪指標取得手段による全身脂肪に関する指標の取得、全身除脂肪指標取得手段による全身除脂肪に関する指標の取得、年齢取得手段による年齢の取得、性別取得手段による性別の取得、身長取得手段による身長の取得のうちの少なくとも１つ行い、腹部サイズ演算手段によりこれら体重と全身脂肪に関する指標、全身除脂肪に関する指標、年齢、性別及び身長のうちの少なくとも１つとに基づいて腹部のサイズを演算する。これによると、全身脂肪に関する指標、全身除脂肪に関する指標、年齢、性別又は身長が、体重と組み合わせることにより腹部のサイズとの相関特性を向上させるパラメータであるため、より特に正確な腹部のサイズに基づいた体組成に関する指標を得ることができる。より特に正確な腹部のサイズに基づいた体組成に関する指標を得ることができる。
【００２４】
また、ウエスト、腹部横幅又は腹部縦幅である。これによると、ウエスト、腹部横幅又は腹部縦幅が、体組成に関する指標と高い相関特性を示すパラメータであるため、特に正確な腹部のサイズに基づいた体組成に関する指標を特に得ることができる。
【発明を実施するための最良の形態】
【００２５】
本発明の腹部インピーダンス式体組成計は、腹部インピーダンス測定手段、腹部サイズ推定手段及び体組成推定手段から構成する。
【００２６】
腹部インピーダンス測定手段は、腹部のインピーダンスを測定する。
【００２７】
腹部サイズ推定手段は、腹部のサイズ（ウエスト、腹部横幅、腹部縦幅など）を推定する。より具体的には、次のような構成によって、腹部のサイズを演算することで推定する。
(i) 体重を取得する体重取得手段と、身長を取得する身長取得手段と、これら取得した体重と身長とに基づいてＢＭＩ（体格指数：Body Mass Index）を演算するＢＭＩ演算手段と、この演算したＢＭＩに基づいて腹部のサイズを演算する腹部サイズ演算手段とから成る。
(ii) 体重を取得する体重取得手段と、身長を取得する身長取得手段と、これら取得した体重と身長とに基づいてＢＭＩを演算するＢＭＩ演算手段と、これら演算したＢＭＩと取得した体重及び身長のうちの少なくとも１つとに基づいて腹部のサイズを演算する腹部サイズ演算手段とから成る。
(iii) 体重を取得する体重取得手段と、身長を取得する身長取得手段と、これら取得した体重と身長とに基づいてＢＭＩを演算するＢＭＩ演算手段と、全身脂肪に関する指標を取得する全身脂肪指標取得手段、全身除脂肪に関する指標を取得する全身除脂肪指標取得手段、年齢を取得する年齢取得手段及び性別を取得する性別取得手段のうちの少なくとも１つと、これら演算したＢＭＩと取得した全身脂肪に関する指標、全身除脂肪に関する指標、年齢及び性別のうちの少なくとも１つとに基づいて腹部のサイズを演算する腹部サイズ演算手段とから成る。
(iv) 体重を取得する体重取得手段と、身長を取得する身長取得手段と、こりら取得した体重と身長とに基づいてＢＭＩを演算するＢＭＩ演算手段と、全身脂肪に関する指標を取得する全身脂肪指標取得手段、全身除脂肪に関する指標を取得する全身除脂肪指標取得手段、年齢を取得する年齢取得手段及び性別を取得する性別取得手段のうちの少なくとも１つと、これら演算したＢＭＩと取得した体重及び身長のうちの少なくとも１つと取得した全身脂肪に関する指標、全身除脂肪に関する指標、年齢及び性別のうちの少なくとも１つとに基づいて腹部のサイズを演算する腹部サイズ演算手段とから成る。
(v) 体重を取得する体重取得手段と、この取得した体重に基づいて腹部のサイズを演算する腹部サイズ演算手段とから成る。
(vi) 体重を取得する体重取得手段と、全身脂肪に関する指標を取得する全身脂肪指標取得手段、全身除脂肪に関する指標を取得する全身除脂肪指標取得手段、年齢を取得する年齢取得手段、性別を取得する性別取得手段及び身長を取得する身長取得手段のうちの少なくとも１つと、これら取得した体重と取得した全身脂肪に関する指標、全身除脂肪に関する指標、年齢、性別及び身長のうちの少なくとも１つとに基づいて腹部のサイズを演算する腹部サイズ演算手段とから成る。
【００２８】
体組成推定手段は、腹部インピーダンス測定手段により測定した腹部のインピーダンスと腹部サイズ推定手段により推定した腹部のサイズとに基づいて体組成に関する指標（体幹部脂肪率、腹部全脂肪面積、腹部皮下脂肪厚、腹筋厚、腹部皮下脂肪面積、内臓脂肪面積など）を推定する。
【００２９】
このように構成した腹部インピーダンス式体組成計によると、腹部インピーダンス測定手段により腹部のインピーダンスを測定し、腹部サイズ推定手段により腹部のサイズ（ウエスト、腹部横幅又は腹部縦幅など）を推定し、体組成推定手段によりこれら腹部のインピーダンス及び腹部のサイズに基づいて体組成に関する指標を推定する。これによると、腹部サイズ推定手段による推定が直接的な腹部のサイズの取得（入力又は測定）でないため、正確な腹部のサイズに基づいた体組成に関する指標を得ることができる。
【００３０】
また、ＢＭＩ又は体重を基礎として腹部のサイズを推定する。これによると、ＢＭＩ又は体重は、腹部のサイズと高い相関特性を示すパラメータであるため、特に正確な腹部のサイズに基づいた体組成に関する指標を得ることができる。
【００３１】
また、特に、全身脂肪に関する指標、全身除脂肪に関する指標、年齢、性別、身長、体重のうちの少なくとも１つをＢＭＩ又は体重に組み合わせて腹部のサイズを推定する。これによると、腹部のサイズとの相関特性が向上するため、より特に正確な腹部のサイズに基づいた体組成に関する指標を得ることができる。
【００３２】
また、腹部のサイズが、ウエスト、腹部横幅又は腹部縦幅である場合には、体組成に関する指標と高い相関特性を示すパラメータであるため、特に正確な腹部のサイズに基づいた体組成に関する指標を特に得ることができる。
【００３３】
以下、上述した形態における実施例について具体的に説明する。
【実施例】
【００３４】
まず、図１に示す外観図、図２に示すブロック図を主として用いながら、本発明に係わる腹部インピーダンス式体組成計の具体的な構成について説明する。
【００３５】
本発明に係わる腹部インピーダンス式体組成計は、大別すると、腹部用ユニット１と、脚部用ユニット２と、腹部用ユニット１と脚部用ユニット２とを接続するコード３とにより構成する。
【００３６】
腹部用ユニット１は、身体の腹部の周囲に沿って接触するようにＵ型形態を成し、このＵ型形態の内側面（腹部に接触する面）に腹部用電極部１３を備え、また、このＵ型形態の外側面に把手２５ａ、２５ｂを備える。
【００３７】
脚部用ユニット２は、ベース２６と載せ台２７を外体とする内部に、電流発生部１１、通電用電極切替部１２、測定用電極切替部１５、電圧検出替部１６、体重検出部１７、電源部１９、計時部２０、記憶部２１、演算部２２及び制御部２４を備え、また、この載せ台２７の平面に、脚脚間部用電極部１４、表示部２３及び入力部１８（１８ａ、１８ｂ、１８ｃ）を備え、更に、ベース２６の正面に、入力部１８（１８ｄ）を備える。
【００３８】
ここで、更に上述した各部について詳述する。
【００３９】
電源部１９は、本装置の電気系統各部に電力を供給する。
【００４０】
入力部１８は、設定キー１８ａ、アップキー１８ｂ、ダウンキー１８ｃ及びスタートキー１８ｄから成り、身体特定情報（性別、身長、年齢）及び測定開始信号の入力をする。ここで、アップキー１８ｂ、ダウンキー１８ｃは、情報の選択や数値の切替えを行い、設定キー１８ａは、選択した情報や切替えた数値の設定をする。また、スタートキー１８ｄは、一連の測定のために電源部１９に対して電力供給を開始させるものである。
【００４１】
計時部２０は、時間を計測する。
【００４２】
腹部用電極部１３は、腹部に電流を流すための端子である通電用電極１３ａ、１３ｂとその際に生ずる電圧を検出するための端子である測定用電極１３ｃ、１３ｄとから成る。
【００４３】
脚脚間部用電極部１４は、脚脚間部に電流を流すための端子である通電用電極１４ａ、１４ｂとその際に生ずる電圧を検出するための端子である測定用電極１４ｃ、１４ｄとから成る。
【００４４】
電流発生部１１は、制御部２４からの制御に基づき、身体の腹部又は脚脚間部に通電するための電流(基本周波数（５０kHz）の電流Ａ50、高周波数（１２８kHz以上５１２kHz以下の範囲のうちのいずれかであり、好ましくは２５６kHz）の電流Ａhigh、又は低周波数（４kHz以上１２.５kHz以下の範囲のうちのいずれかであり、好ましくは５kHz）の電流Ａlow)を発生する。
【００４５】
通電用電極切替部１２は、制御部２４からの制御に基づき、腹部用電極部１３の通電用電極１３ａ、１３ｂへの接続と脚脚間部用電極部１４の通電用電極１４ａ、１４ｂへの接続との切替えを行う。
【００４６】
測定用電極切替部１５は、制御部２４からの制御に基づき、腹部用電極部１３の測定用電極１３ｃ、１３ｄへの接続と脚脚間部用電極部１４の測定用電極１４ｃ、１４ｄへの接続との切替えを行う。
【００４７】
電圧検出替部１６は、身体の腹部又は脚脚間部に生じた電圧（Ａ50に基づいて生ずる電圧Ｖ50、Ａhighに基づいて生ずる電圧Ｖhigh、Ａlowに基づいて生ずる電圧Ｖlow）を検出する。
【００４８】
体重検出部１７は、重量センサー１７ａ、電圧増幅器１７ｂ、Ａ／Ｄ変換器１７ｃから成り、被測定者が載せ台２７に乗った際の電圧を検出する。
【００４９】
記憶部２１は、次のような演算式、入力情報、結果情報、プログラムその他各種情報を記憶する。
(a) 体重と身長とに基づいてＢＭＩを演算するためのＢＭＩ演算式（（１）式）。
(b) 脚脚間部インピーダンスと体重と身長と年齢と性別とに基づいて全身脂肪率を演算するための全身脂肪率演算式（（２）式）。
(c) ＢＭＩ、全身脂肪率、年齢とに基づいてウエストを演算するための腹部サイズ演算式（（３）式）。
(d) 腹部インピーダンス（Ｖ50に基づいて生ずる腹部インピーダンスＺab50、Ｖhighに基づいて生ずる腹部インピーダンスＺabhigh、Ｖlowに基づいて生ずる腹部インピーダンスＺablow）とウエストとに基づいて体組成に関する指標（体幹部脂肪率、腹部全脂肪面積、腹部皮下脂肪厚、腹筋厚、腹部皮下脂肪面積、内臓脂肪面積）を演算するための各種の体組成演算式（（４）〜（９）式）。
【００５０】
ＢＭＩ＝体重／身長２   ・・・・・・・・・・・・・・・・・・・・・・・・（１）
全身脂肪率＝α×Ｚle50＋β×体重＋γ×身長＋δ×年齢＋ε×性別＋ζ  ・（２）
ウエスト＝ａ×ＢＭＩ＋ｂ×全身脂肪率＋ｃ×年齢＋ｄ  ・・・・・・・・・（３）
体幹部脂肪率＝ｅ＋ｆ×Ｚab50−ｇ×ウエスト  ・・・・・・・・・・・・・（４）
腹部全脂肪面積＝−ｈ−ｉ×Ｚab50＋ｊ×ウエスト  ・・・・・・・・・・・（５）
腹部皮下脂肪厚＝ｋ×Ｚablow＋ｌ×ウエスト−ｍ   ・・・・・・・・・・・（６）
腹筋厚＝ｎ×（１／Ｚabhigh）＋ｏ×（１／ウエスト）−ｐ  ・・・・・・・（７）
腹部皮下脂肪面積＝−ｑ−ｒ×Ｚablow＋ｓ×ウエスト＋ｔ×Ｚab50   ・・・（８）
内臓脂肪面積＝−ｕ−ｖ×Ｚabhigh＋ｗ×ウエスト−ｙ×Ｚab50  ・・・・・（９）
【００５１】
上式の記号は、
Ｚle50：脚脚間部インピーダンス
Ｚab50、Ｚablow、Ｚabhigh：腹部インピーダンス
α〜ζ、ａ〜ｙ：係数（定数）
を意味する。
【００５２】
ここで、ａ〜ｙについては、ａ＝０.１、ｂ＝１.５３、ｃ＝０.６、ｄ＝０.１、ｅ＝９２.０、ｆ＝０.６１、ｇ＝０.５２、ｈ＝３２.１、ｉ＝０.５５、ｊ＝１.３６、ｋ＝０.２４、ｌ＝０.０３５、ｍ＝２.４、ｎ＝３８.５、ｏ＝４０.３、ｐ＝１.９、ｑ＝５１０、ｒ＝５.６３、ｓ＝９.２２、ｔ＝２０２、ｕ＝７８０、ｖ＝４.３、ｗ＝３６.０、ｙ＝１９４１とすることで体組成に関する指標について良好な推定結果を得ることができる。
【００５３】
なお、上記の腹部サイズ演算式（（３）式）により求められるウエストは、図５に示されるように、実測したウエスト（へそ位置を通る腹部外周長）との相関性が高い。また、上記の体組成演算式（（４）〜（９）式）により求められる腹部全脂肪面積、腹部皮下脂肪厚、腹筋厚、腹部皮下脂肪面積、内臓脂肪面積は、図７〜図１１に示すように、一般的に推定精度が良いとされるＣＴ（Computed Tomography）スキャン法により求めた腹部全脂肪面積、腹部皮下脂肪厚、腹筋厚、腹部皮下脂肪面積、内臓脂肪面積との相関性が高く、また、上記の体組成演算式（（４）式）により求められる体幹部脂肪率は、図６に示すように、一般的に推定精度が良いとされるＤＸＡ（Dual X-ray absorptiometry）法により求めた体幹部脂肪率との相関性が高い。
【００５４】
演算部２２は、次のような演算その他公知の如き演算を行う。
(I) 体重検出部１７からの電圧に基づいて体重の演算。
(II) 脚脚間部用電極部１４の通電用電極１４ａ、１４ｂの間に電流（Ａ50）を流した際に脚脚間部用電極部１４の測定用電極１４ｃ、１４ｄ間に生じた電圧（Ｖ50）に基づいて脚脚間部インピーダンス（Ｚle50）の演算。
(III) 腹部用電極部１３の通電用電極１３ａ、１３ｂの間に電流（Ａ50、Ａhigh、Ａlow）を流した際に腹部用電極部１３の測定用電極１３ｃ、１３ｄ間に生ずる電圧（Ａ50に基づいて生ずる電圧Ｖ50、Ａhighに基づいて生ずる電圧Ｖhigh、Ａlowに基づいて生ずる電圧Ｖlow）に基づいて腹部インピーダンス（Ｖ50に基づいて腹部インピーダンスＺab50、Ｖhighに基づいて腹部インピーダンスＺabhigh、Ｖlowに基づいて腹部インピーダンスＺablow）の演算。
(IV) 先に演算した体重と入力情報として記憶部２１に記憶している身長とを記憶部２１に記憶しているＢＭＩ演算式（（１）式）に代入しＢＭＩの演算。
v) 先に演算した体重及び脚脚間部インピーダンスＺle50と入力情報として記憶部２１に記憶している性別、身長及び年齢とを記憶部２１に記憶している全身脂肪率演算式（（２）式）に代入し全身脂肪率の演算。
(VI) 先に演算したＢＭＩ及び全身脂肪率と入力情報として記憶部２１に記憶している年齢とを記憶部２１に記憶している腹部サイズ演算式（（３）式）に代入しウエストの演算。
(VII) 先に演算した腹部インピーダンス（Ｚab50、Ｚabhigh、Ｚablow）及びウエストを記憶部２１に記憶している各種の体組成演算式（（４）〜（９）式）に代入し、体組成に関する指標（体幹部脂肪率、腹部全脂肪面積、腹部皮下脂肪厚、腹筋厚、腹部皮下脂肪面積、内臓脂肪面積）の演算。
【００５５】
表示部２３は、演算部２２により演算された体組成に関する指標（体幹部脂肪率、腹部全脂肪面積、腹部皮下脂肪厚、腹筋厚、腹部皮下脂肪面積、内臓脂肪面積）の結果情報その他入力・測定・結果情報を表示する。
【００５６】
制御部２４は、次のような制御その他公知の如き制御をする。
(A) スタートキー１８ｄからのオン信号に基づいて、電源部１９から本装置の電気系統各部への電力供給の制御。
(B) アップキー１８ｂ、ダウンキー１８ｃ、設定キー１８ａからの入力信号に基づいて、身体特定情報（性別、身長、年齢）の設定の制御。
(C) 体重、脚脚間部インピーダンス、腹部インピーダンスの測定の制御。
(D) 記憶部２１による入力、測定、結果段階おける各種情報の記憶の制御。
(E) 演算部２２による各種演算の制御。
(F) 表示部２３による入力、測定、結果段階おける各種情報の表示の制御。
【００５７】
ここで、図１３及び図１４に示す身体の腹部の電気等価回路モデル図を用いながら腹部のインピーダンスを測定して体組成に関する指標を推定可能である原理について説明する。身体の腹部前部の浅層組織は、皮膚表面をＲｓ、皮下脂肪層をＲｆ及びＣｆ、腹筋層（細胞膜をＣｍ、細胞内液をＲｉ、細胞外液をＲｅ）とした電気等価回路モデルで表すことができる。そして、測定の際には、皮膚表面と電極（通電用電極、測定用電極）の間に接触インピーダンスＲｃを加えた電気等価回路モデルで表すことができる。ここで、低周波数が通電された場合には、図１４（ａ）に示すように、皮下脂肪層において、Ｃｆに電流は流れず、Ｒｆだけに電流が流れ、また、腹筋層において、Ｃｍに電流は流れず（したがって、Ｒｉにも電流は流れない。）、Ｒｅだけに電流が流れることから、皮下脂肪層を反映した腹部のインピーダンスを得ることができる。また、高周波数（基本周波数も含む。）が通電された場合には、図１４（ｂ）に示すように、皮下脂肪層において、Ｃｆに電流が流れ（したがって、Ｒｆには電流が流れない。）、また、腹筋層において、Ｃｍに電流が流れ、Ｒｉ及びＲｅに電流が流れることから、腹筋層を反映した腹部のインピーダンス（内臓脂肪の蓄積が多いと、これに伴って腹筋が薄く伸びた状態となるために、内臓脂肪組織を反映した腹部のインピーダンス）を得ることができる。更に、基本周波数が通電された場合には、高周波数が通電された場合のように、Ｒｉ及びＲｅに電流が流れ、広範囲における脂肪以外の組織を反映した腹部のインピーダンス（すなわち、全体組織から脂肪以外の組織を除いた脂肪組織を反映した腹部のインピーダンス）を得ることができる。したがって、低周波数が通電された場合には、腹部皮下脂肪厚及び腹部皮下脂肪面積を推定することができ、また、高周波数が通電された場合には、腹筋厚及び内臓脂肪面積を推定することができ、更に、基本周波数が通電された場合には、体幹部脂肪率及び腹部全脂肪面積を推定することができる。
【００５８】
なお、腹部用電極部１３、通電用電極切替部１２、測定用電極切替部１５、電流発生部１１、電圧検出替部１６、演算部２２、記憶部２１、制御部２４、計時部２０及び電源部１９による構成は、腹部インピーダンス測定手段に該当する。また、体重検出部１７、演算部２２、記憶部２１、制御部２４、計時部２０及び電源部１９による構成は、体重取得手段に該当する。更に、入力部１８、記憶部２１、制御部２４及び電源部１９による構成は、身長取得手段、性別取得手段及び年齢取得手段に該当する。更に、演算部２２、記憶部２１、制御部２４及び電源部１９による構成は、ＢＭＩ演算手段、腹部サイズ演算手段及び体組成推定手段に該当する。更に、脚脚間用電極部、通電用電極切替部１２、測定用電極切替部１５、電流発生部１１、電圧検出替部１６、演算部２２、記憶部２１、制御部２４、計時部２０及び電源部１９による構成は、全身脂肪指標取得手段に該当する。
【００５９】
次に、図３に示すフローチャートを主として用いながら、本発明に係わる腹部インピーダンス式体組成計の操作及び動作について説明する。
【００６０】
まず、スタートキー１８ｄがオンされると電源部１９から各電気系統各部に電力を供給し、身体特定情報（性別、身長、年齢）画面を表示部２３に表示し、計時部２０により時間を計測し、制御部２４により一定時間（例えば、５秒間）内に設定キー１８ａがオンされたか否かを判定する（ステップＳ１）。
【００６１】
ここで、設定キー１８ａが一定時間内にオンされた場合（ステップＳ１でＹＥＳ）には、性別、身長、年齢のいずれかの位置にカーソルが出現し、アップキー１８ｂ、ダウンキー１８ｃ、設定キー１８ａにより性別、身長、年齢の数値の切替えや設定が可能な状態となり、利用者によって、性別、身長、年齢の設定がされると、記憶部２１により性別、身長、年齢を記憶（過去に設定されていない場合には新規記憶、過去に設定されている場合には更新記憶）する（ステップＳ２）。一方、設定キー１８ａが一定時間内にオンされない場合（ステップＳ１でＮＯ）には、性別、身長、年齢の設定の処理をスキップする（記憶部２１により記憶している性別、身長、年齢の更新を行わない。）。
【００６２】
続いて、設定キー１８ａが一定時間内にオンされない場合（ステップＳ１でＮＯ）や性別、身長、年齢の設定（ステップＳ２）の後は、体重測定画面（測定前なので"０.０kg"）を表示部２３に表示し、体重の測定が可能な状態となる。次いで、被測定者が載せ台２７（脚脚間部用電極部１４の通電用電極１４ａ、１４ｂ及び測定用電極１４ｃ、１４ｄの上）に乗ると、体重検出部１７で検出した電圧に基づいて演算部２２により体重を演算し、表示部２３においてこの演算した体重を表示する（ステップＳ３）。
【００６３】
続いて、演算部２２において、この演算した体重と記憶部２１に記憶している身長とを記憶部２１に記憶しているＢＭＩ演算式（（１）式）に代入してＢＭＩを演算する（ステップＳ４）。
【００６４】
続いて、脚脚間部インピーダンスの測定をする。具体的には、制御部２４において、脚脚間部用電極部１４の通電用電極１４ａ、１４ｂ及び測定用電極１４ｃ、１４ｄへの接続に通電用電極切替部１２及び測定用電極切替部１５を切替る。次いで、電流発生部１１において、脚脚間部に通電するための電流（Ａ50）を発生し、電圧検出替部１６において、脚脚間部に生じた電圧（Ｖ50）を検出する。次いで、演算部２２において、この電圧（Ｖ50）に基づいて脚脚間部インピーダンス（Ｚle50）を演算する（ステップＳ５）。
【００６５】
続いて、演算部２２において、先に演算した体重及び脚脚間部インピーダンス（Ｚle50）と記憶部２１に記憶している性別、身長及び年齢とを記憶部２１に記憶している全身脂肪率演算式（（２）式）に代入して全身脂肪率を演算する（ステップＳ６）。
【００６６】
続いて、演算部２２において、先に演算したＢＭＩ及び全身脂肪率と記憶部２１に記憶している年齢とを記憶部２１に記憶している腹部サイズ演算式（（３）式）に代入してウエストを演算する（ステップＳ７）。
【００６７】
続いて、腹部インピーダンスの測定をする。この際には、被測定者５０は、図４に示すように、腹部用ユニット（Ｕ型形態）１の内側面（腹部用電極部１３の通電用電極１３ａ、１３ｂ及び測定用電極１３ｃ、１３ｄ）を腹部（ウエスト（へそ位置を通る腹部外周長））に接触させて行う。具体的には、制御部２４において、腹部用電極部１３の通電用電極１３ａ、１３ｂ及び測定用電極１３ｃ、１３ｄへの接続に通電用電極切替部１２及び測定用電極切替部１５を切替る。次いで、電流発生部１１において、腹部に通電するための電流（Ａ50、Ａhigh、Ａlow）を発生し、電圧検出替部１６において、腹部に生じた電圧（Ｖ50、Ｖhigh、Ｖlow）を検出する。次いで、演算部２２において、この電圧（Ｖ50、Ｖhigh、Ｖlow）に基づいて腹部インピーダンス（Ｚab50、Ｚabhigh、Ｚablow）を演算する（ステップＳ８）。
【００６８】
続いて、演算部２２において、先に演算した腹部インピーダンス（Ｚab50、Ｚabhigh、Ｚablow）及びウエストを記憶部２１に記憶している各種の体組成演算式（（４）〜（９）式）に代入して体組成に関する指標（体幹部脂肪率、腹部全脂肪面積、腹部皮下脂肪厚、腹筋厚、腹部皮下脂肪面積、内臓脂肪面積）を演算する（ステップＳ９）。
【００６９】
続いて、表示部２３において、図１２に示すように、演算部２２により演算された体重、ＢＭＩ、全身脂肪率、体組成に関する指標（体幹部脂肪率、腹部全脂肪面積、腹部皮下脂肪厚、腹筋厚、腹部皮下脂肪面積、内臓脂肪面積）の結果を表示し（ステップＳ１０）、一連の操作及び動作処理過程が終了する。
【００７０】
なお、上述した実施例における腹部インピーダンス式体組成計は、脚部用ユニット２に乗り、腹部用ユニット１を手で保持しながら腹部に接触することにより行う態様のものであるが、（i）上記の実施例における腹部用ユニット１の把手２５ａ、２５ｂに、手手間のインピーダンスや、脚脚間部用電極部１４の通電用電極１４ａ、１４ｂ及び測定用電極１４ｃ、１４ｄとともに手脚間のインピーダンスを測定するための通電用電極及び測定用電極を有したり、（ii）上記の実施例における脚部用ユニット２に手部用ユニット（手手間又は手脚間用の通電用電極及び測定用電極を有する）を設けた手脚用ユニットと、ベルトによって腹部に装着可能なベルト式の腹部用ユニットとから構成したり、（iii）上記の実施例における腹部用ユニット１に表示部２３、入力部１８、電流発生部１１、通電用電極切替部１２、測定用電極切替部１５、電圧検出替部１６、電源部１９、計時部２０、記憶部２１、演算部２２及び制御部２４を備え、体重を入力部１８から入力するようにした腹部用ユニットのみから構成したりするように態様ものとしても同様に実施可能である。
【００７１】
また、上述した実施例においては、推定する腹部のサイズをウエストとしたが、腹部横幅、腹部縦幅等としても同様に実施可能である。
【００７２】
更に、上述した実施例においては、腹部のサイズ（ウエスト）を推定するのに、ＢＭＩ、全身脂肪率及び年齢に基づいたが、（I）ＢＭＩだけに基づくもの、（II）ＢＭＩと、全身脂肪に関する指標（全身脂肪率、全身脂肪量など）、全身除脂肪に関する指標（全身除脂肪率、全身除脂肪量など）、体重、身長、年齢及び性別のうちの少なくとも１つとに基づくもの、（III）体重だけに基づくもの、（IV）体重と、全身脂肪に関する指標（全身脂肪率、全身脂肪量など）、全身除脂肪に関する指標（全身除脂肪率、全身除脂肪量など）、身長、年齢及び性別のうちの少なくとも１つとに基づくものとしても同様に実施可能である。
【００７３】
更に、上述した実施例においては、腹部のサイズ（ウエスト）を推定するのに、全身脂肪率が必要なために、脚脚間部インピーダンスに基づいて全身脂肪率を演算したが、全身脂肪率は、図１５に示すように、一般的に推定精度が良いとされるＤＸＡ法により求めた体幹部脂肪率との相関性が高いことから、全身脂肪率に基づかないで腹部のサイズ（ウエスト）を推定し、この推定した腹部のサイズ（ウエスト）に基づいて推定した体幹部脂肪率を次の演算式（（１０）式）に代入して求めることも可能である。
全身脂肪率＝Ｑ×体幹部脂肪率＋Ｒ  ・・・・・・・・・・・・・・・・・（１０）
上式の記号は、Ｑ、Ｒ：係数（定数）であり、例えば、Ｑ＝０.８５、Ｒ＝１.１とすることで全身脂肪率について良好な推定結果を得ることができる。
【図面の簡単な説明】
【００７４】
【図１】本発明に係わる腹部インピーダンス式体組成計の外観構造を示す外観図であり、（ａ）が平面図、（ｂ）が正面図、（ｃ）が側面図である。
【図２】本発明に係わる腹部インピーダンス式体組成計の構成を示すブロック図である。
【図３】本発明に係わる腹部インピーダンス式体組成計の操作及び動作の手順を示すブロック図である。
【図４】被測定者が測定しているときの状態を示す図である。
【図５】腹部サイズ演算式から推定したウエストと、実側したウエストとの相関関係を示すグラフである。
【図６】ＤＸＡ法により求めた体幹部脂肪率と体組成演算式から求めた体幹部脂肪率との相関関係を示すグラフである。
【図７】ＣＴスキャン法により求めた腹部全脂肪面積と体組成演算式から求めた腹部全脂肪面積との相関関係を示すグラフである。
【図８】ＣＴスキャン法により求めた腹部皮下脂肪厚と体組成演算式から求めた腹部皮下脂肪厚との相関関係を示すグラフである。
【図９】ＣＴスキャン法により求めた腹筋厚と体組成演算式から求めた腹筋厚との相関関係を示すグラフである。
【図１０】ＣＴスキャン法により求めた腹部皮下脂肪面積と体組成演算式から求めた腹部皮下脂肪面積との相関関係を示すグラフである。
【図１１】ＣＴスキャン法により求めた内臓脂肪面積と体組成演算式から求めた内臓脂肪面積との相関関係を示すグラフである。
【図１２】表示部における各種の演算結果を示す画面図である。
【図１３】身体の腹部前部の電気等価回路モデル図である。
【図１４】身体の腹部前部に電流を印加したときの電気等価回路モデル図であり、（ａ）が低周波電流を印加したとき、（ｂ）が高周波電流を印加したときの電気等価回路モデル図である。
【図１５】ＤＸＡ法により求めた全身脂肪率とＤＸＡ法により求めた体幹部脂肪率との相関関係を示すグラフである。
【符号の説明】
【００７５】
１  腹部用ユニット
２  脚部用ユニット
３  コード
１１  電流発生部
１２  通電用電極切替部
１３  腹部用電極部
１３ａ、１３ｂ、１４ａ、１４ｂ  通電用電極
１３ｃ、１３ｄ、１４ｃ、１４ｄ  測定用電極
１４  脚脚間部用電極部
１５  測定用電極切替部
１６  電圧検出部
１７  体重検出部
１７ａ  重量センサー
１７ｂ  電圧増幅器
１７ｃ  Ａ／Ｄ変換器
１８  入力部
１８ａ  設定キー
１８ｂ  アップキー
１８ｃ  ダウンキー
１８ｄ  スタートキー
１９  電源部
２０  計時部
２１  記憶部
２２  演算部
２３  表示部
２４  制御部
２５ａ、２５ｂ  把手
２６  ベース
２７  載せ台
５０  被測定者
【図１】
2006334325.tif 000003
【図２】
2006334325.tif 000004
【図３】
2006334325.tif 000005
【図４】
2006334325.tif 000006
【図５】
2006334325.tif 000007
【図６】
2006334325.tif 000008
【図７】
2006334325.tif 000009
【図８】
2006334325.tif 000010
【図９】
2006334325.tif 000011
【図１０】
2006334325.tif 000012
【図１１】
2006334325.tif 000013
【図１２】
2006334325.tif 000014
【図１３】
2006334325.tif 000015
【図１４】
2006334325.tif 000016
【図１５】
2006334325.tif 000017